(57)【要約】【課題】フィルムロールの装着時に梱包箱に入れたまま装着できるようにするとともに、フィルム筒が変形した場合であってもフィルムロールを装着できるようにしたフィルム保持装置を提供する。【解決手段】中空状のフィルム筒８１を有するフィルムロール８を回転させながらフィルムを繰り出してロールベールに巻き付けるようにしたフィルム保持装置６において、フィルムロール８よりも短く構成され、フィルム筒８１に挿入される挿入棒６１と、当該挿入棒６１を鉛直方向から７０度〜８０度の傾動角度で傾倒させる傾倒部６４と、前記挿入棒６１に挿入されたフィルムロール８の下端を支持する下端支持部６５と、当該下端支持部６５で支持されたフィルムロール８の上端部分を支持する上端支持部６６とを備えるようにする。そして、その挿入棒６１には中案内環などを設けないようにして、フィルム筒８１との隙間を保つようにする。【選択図】図５
2015226507.tif 000002
【特許請求の範囲】
【請求項１】
中空状のフィルム筒を有するフィルムロールを保持し、当該フィルムロールを回転させながらフィルムを繰り出してロールベールに巻き付けるようにしたフィルム保持装置において、
フィルムロールよりも短く構成され、前記フィルム筒に挿入される挿入棒と、
当該挿入棒を７０度〜８０度の範囲内で傾倒させる傾倒部と、
前記挿入棒に挿入されたフィルムロールの下端を支持する下端支持部と、
当該下端支持部で支持されたフィルムロールの上端部分を支持する上端支持部と、
を備えるようにしたことを特徴とするフィルム保持装置。
【請求項２】
前記挿入棒が、フィルム筒の内部に接触しないように構成されていることを特徴とする請求項１に記載のフィルム保持装置。
【請求項３】
前記下端支持部の取り付け位置を変更可能に構成したことを特徴とする請求項１に記載のフィルム保持装置。
【請求項４】
前記上端支持部の取り付け位置を変更可能に構成したことを特徴とする請求項１に記載のフィルム保持装置。
【発明の詳細な説明】
【技術分野】
【０００１】
本発明は、ロールベールにフィルムを巻き付けるラップマシンに関するものであり、より詳しくは、フィルムロールを保持するフィルム保持装置に特徴を有するラップマシンに関するものである。
【背景技術】
【０００２】
一般的に、ラップマシンは、円筒状のロールベールを回転させながら、その表面にフィルムを巻き付けるように構成されるが、このようなフィルムを保持するフィルム保持装置としては、次のようなタイプのものが使用されている。
【０００３】
まず、第一のタイプのものは、フィルムを巻き付けたロール（以下「フィルムロール」と称する）を挿入棒に挿入させて保持させるようにしたものである（特許文献１）。このタイプのフィルム保持装置は、図８に示すように、フィルムロールを上下方向に貫通する挿入棒１０１を有してなるもので、その挿入棒１０１を下端部分を中心に横に倒すことで、梱包箱に入ったまま重いフィルムロールを腰の高さ位置で挿入させ、その後、起立させて固定できるようにしたものである。
【０００４】
第二のタイプのものは、挿入棒を有しないタイプのものであって、図９に示すように、フィルムロールのフィルム筒を上端支持部１０２と下端支持部１０３で上下方向から挟み込むようにしたものである。
【０００５】
また、第三のタイプのものは、図１０に示すように、フィルムロールの下方部分にのみ挿入棒１０４を設けたものであって、ブラケットごと約４５度ほど傾けた状態で中案内環１０５を有する挿入棒１０４に挿入させ、その後、フィルムロールを起立させて、上端支持部１０６で上端を保持させるようにしたものである。
【先行技術文献】
【特許文献】
【０００６】
【特許文献１】特開２０１２−２３１７４９号公報
【特許文献２】特開平０３−２０１９０９号公報
【特許文献３】実開平０５−０６８２４１号公報
【発明の概要】
【発明が解決しようとする課題】
【０００７】
ところで、これらの従来のタイプのフィルム保持装置では、次のような問題があった。
【０００８】
まず、第一のタイプのものは、梱包箱に入った状態でフィルムロールを挿入させることができるというメリットがあるが、このタイプのものでは、フィルムロールの上端側が固定されていないため、回転時にフィルムロールが挿入棒の軸方向に揺れを生じてしまうという問題があった。このため、従来では、挿入棒方向の揺れを防止するためのリング状のストッパー１０１Ｓを上端部分に取り付けるようにしていたが、このストッパー１０１Ｓを装着するのが煩わしいばかりでなく、往々にしてストッパー１０１Ｓの付け忘れや紛失などを生じてしまう場合があった。さらには、挿入棒を傾倒させる場合、挿入棒が長いため、横倒しした挿入棒の長さ分だけ後方に下がってフィルムロールを挿入しなければならず、大幅な前後の動きが必要になっていた。
【０００９】
また、第二のタイプのものは、フィルムロールの上端および下端を固定しているため、第一のタイプのようにフィルムの繰り出し時に上下方向の揺れを生じることがないが、挿入棒が存在しないため、重いフィルムロールを梱包箱から取り出して、無理な体勢でフィルム保持装置に装着しなければならず、きつい労働を強いることになる。また、フィルムロールを梱包箱から取り出す際には、粘着しているフィルムを手で持つ必要があるため、フィルムから手を離す際に、その粘着によってフィルムが浮き上がってしまい、そこに隙間を生じて空気やゴミなどにより粘着力を低下させてしまうといった問題があった。
【００１０】
さらに、第三のタイプのものは、梱包箱に入ったまま挿入棒にフィルムロールを挿入させることができるものの、ブラケットごと４５度傾斜させる構造になっており、フィルムロールを斜め４５度の方向から挿入しなければならない。しかるに、この角度で梱包箱に入れたままフィルムロールを挿入しようとすると、梱包箱からフィルムロールが滑り落ちてしまう可能性があり、手でフィルムロールを持たざるを得なかった。さらには、この第三のタイプのものは、挿入棒の先端部分にフィルム筒に内接する中案内環１０５を設けるようにしているため、フィルム筒が湿気などで膨張したり、地面に置いた際の衝撃で変形してしまったりした場合は、中案内環１０５がフィルム筒に当たってしまい、フィルムロールを挿入することができなくなるといった問題があった。また、このタイプのものは、ブラケットごと挿入棒を傾倒させる構造になっているため、フィルムロールを挿入して固定する際に、ブラケットごと下からフィルムロールを持ち上げなければならなかった。
【００１１】
そこで、本発明は上記課題に着目してなされたもので、フィルムロールの装着時に梱包箱に入れたまま装着できるようにするとともに、フィルム筒が変形した場合であってもフィルムロールを簡単に装着できるようにしたフィルム保持装置を提供することを目的とするものである。
【課題を解決するための手段】
【００１２】
すなわち、本発明は上記課題を解決するために、中空状のフィルム筒を有するフィルムロールを保持し、当該フィルムロールを回転させながらフィルムを繰り出してロールベールに巻き付けるようにしたフィルム保持装置において、フィルムロールよりも短く構成され、前記フィルム筒に挿入される挿入棒と、当該挿入棒を７０度〜８０度の範囲内で傾倒させる傾倒部と、前記挿入棒に挿入されたフィルムロールの下端を支持する下端支持部と、当該下端支持部で支持されたフィルムロールの上端部分を支持する上端支持部とを備えるように構成したものである。
【００１３】
このように構成すれば、挿入棒を大きく傾倒させることができるため、梱包箱に入れたままフィルムロールを挿入棒に挿入させることができる。また、この挿入棒がフィルムロールより短く構成されているため、従来のようにフィルムロールの長さ分以上後方に下がってから挿入するといった前後の動きが不要になり、挿入動作を迅速に行わせることができるようになる。
【００１４】
また、このような発明において、前記挿入棒を、フィルム筒の内部に接触しないように構成する。
【００１５】
このように構成すれば、フィルムロールを挿入する際、フィルム筒が膨張したり変形した場合であっても簡単にフィルムロールを挿入させることができるようになる。
【００１６】
さらに、前記下端支持部の取り付け位置を変更可能に構成し、また、前記上端支持部の取り付け位置を変更可能に構成する。
【００１７】
このように構成すれば、種々の長さのフィルムロールに対応させることができ、また、下端支持部や上端支持部の位置を変更することで下端や上端を固定することができるため、フィルムロールの軸方向の揺れを防止することができるようになる。
【発明の効果】
【００１８】
本発明によれば、中空状のフィルム筒を有するフィルムロールを保持し、当該フィルムロールを回転させながらフィルムを繰り出してロールベールに巻き付けるようにしたフィルム保持装置において、フィルムロールよりも短く構成され、前記フィルム筒に挿入される挿入棒と、当該挿入棒を７０度〜８０度の範囲内で傾倒させる傾倒部と、前記挿入棒に挿入されたフィルムロールの下端を支持する下端支持部と、当該下端支持部で支持されたフィルムロールの上端部分を支持する上端支持部とを備えるようにしたので、梱包箱に入れたままフィルムロールを挿入棒に挿入させることができる。また、この挿入棒がフィルムロールより短く構成されているため、従来のようにフィルムロールの長さ分以上後方に下がってから挿入するといった前後の動きが不要になり、挿入動作を迅速に行わせることができるようになる。
【図面の簡単な説明】
【００１９】
【図１】本発明の一実施の形態を示すラップマシンの全体概略図
【図２】同形態における切断保持手段の概要を示す図
【図３】同形態における切断保持手段の概要を示す図
【図４】同形態におけるフィルム保持装置の全体図
【図５】同形態における挿入棒や下端支持部の近傍を示す図
【図６】同形態における挿入棒を傾倒させた状態を示す図
【図７】同形態における下端支持部や上端支持部を付け替えた状態を示す図
【図８】従来例におけるフィルム保持装置
【図９】従来例におけるフィルム保持装置
【図１０】従来例におけるフィルム保持装置
【発明を実施するための形態】
【００２０】
以下、本発明の一実施の形態におけるラップマシン１について図面を参照して説明する。
【００２１】
この実施の形態におけるラップマシン１は、牧草を円筒状に形成したロールベール９を回転させながら薄いフィルムを巻き付けられるようにしたものであって、図１に示すように、ロールベール９を回転させる回転機構２と、その回転機構２によって回転するロールベール９の表面にフィルムを巻き付けるラッピング機構３などを備えて構成されている。そして、特徴的に、そのラッピング機構３を構成するフィルム保持装置６として、フィルムロール８の下端部分に挿入される挿入棒６１を傾倒させてフィルムロール８を差し込み、そのフィルムロール８を下端支持部６５に当接させた状態で起立させ、上端部分を上端支持部６６で押さえ付けるように保持できるようにしたものである。以下、本実施の形態におけるラップマシン１の構成について詳細に説明する。
【００２２】
まず、このラップマシン１の回転機構２は、図１に示すように、前後平行に設けられたローラー２１と、そのローラー２１に掛け渡されたベルト２２を回転させることでロールベールを自転させるようにしたものであって、フィルムロール８をロールベール９の回りを回転させることによってロールベール９の表面にフィルムを巻き付けられるようにしたものである。ここでは、ロールベール９を水平方向に沿って回転させるようにしているが、ラッピング機構３を固定しておき、ロールベール９を地面に起立する方向にも回転させてフィルムを巻き付けるようにしてもよい。
【００２３】
このラッピング機構３は、ターンテーブル２０の外周を公転しながらロールベール９にフィルムを巻き付けられるようにしたものであって、フィルム保持装置６からフィルムを繰り出し、そのフィルムを第一ローラー４１と第二ローラー４２とでストレッチさせながらロールベール９に巻き付けられるようにしたものである。ここで、ロールベール９にフィルムを巻き付ける際、ターンテーブル２０の側部に設けられた保持部５５（図３など参照）にフィルムの一端を挟み込ませておき、その状態で回転フレーム２３を回転させるようにする。この回転フレーム２３は、ターンテーブル２０の下方で円形状に構成されるものであって、内接する図示しない回転部材を回転させることによって、フィルム保持装置６を公転させるようにしている。
【００２４】
この切断保持手段５０は、図２や図３に示すように、フィルムを上下から束ねてからカッター５７（図３参照）に当接させて、そのカッター５７を刃渡方向にスライドさせて切断できるようにしたものであって、切断時にフィルムを保持して次ぎのラッピング時に備えられるようにしたものである。具体的には、この切断保持手段５０は、図２に示すように、ターンテーブル２０と、このターンテーブル２０に傾倒可能に取り付けられたグリップロッド５１や下部リンク５２と、この下部リンク５２およびグリップロッド５１に連結された中間リンク５３から成る四節回転リンク機構で構成されており、このグリップロッド５１を傾倒させることによってグリップロッド５１と中間リンク５３の間にフィルムを挟み込んでフィルムを上下から束ねられるようにしたものである。また、このグリップロッド５１の先端には、グリップロッド５１の傾倒に伴って回転中心側に近づく上辺当接部材５４が設けられており、この上辺当接部材５４とフィルム保持装置６側への引っ張りによって上下からフィルムを束ねられるようにしている。保持部５５は、図３に示すように、束ねられたフィルムをＶ字状の板材５０ｖとグリップロッド５１との間に挟み込んで保持できるようにしたもので、バネ５６による押圧力によってフィルムを保持できるようにしている。一方、カッター５７は、束ねられたフィルムを当接させるとともに、その刃を刃渡方向にスライドさせるようになっている。この刃をスライドさせる場合、グリップロッド５１から水平方向に突出するピン５８をカッター５７の湾曲部５９に当接させ、バネの押圧力に抗して、カッター５７を水平方向にスライドさせるようにしている。
【００２５】
このように構成されたラップマシン１において、フィルムロール８を保持するフィルム保持装置６は次のように構成される。
【００２６】
このフィルム保持装置６は、梱包箱に入ったままフィルムロール８を装着できるようにするとともに、装着時に人間の前後方向の動きを最小限にとどめ、また、装着後のフィルム繰り出し時に、上下方向（軸方向）へ揺れを生じさせないようにしたものであって、フィルムロール８を挿入する挿入棒６１と、その挿入棒６１を傾倒させる傾倒部６４と、フィルムロール８の下端および上端を支持する下端支持部６５や上端支持部６６などを備えて構成されている。
【００２７】
この挿入棒６１は、フィルムロール８の芯材であるフィルム筒８１に挿入させることによって装着時のガイドとして機能するものであって、軸方向の長さがフィルムロール８の１／３〜１／５程度の長さ、外径がフィルム筒８１の内径の１／３〜１／５程度の金属部材で構成されている。そして、このような長さにすることにより、フィルムロール８の挿入時に前後方向への人間の動きを最小限に抑えるとともに、外径を細くし、また、その外周に従来のような中案内環などを設けないようにすることで、フィルム筒８１が水で膨張したり落下時の衝撃で変形したりした場合であっても容易に挿入できるようにしている。
【００２８】
この挿入棒６１は、図４や図５に示すように、ストレッチアーム３１から横方向に突出するブラケット３２に傾倒部６４を構成するヒンジ３６で回動可能に取り付けられており、そのヒンジ３６を中心として鉛直方向から７０度〜８０度の範囲内で傾倒できるようになっている。このブラケット３２は、図５に示すように、水平方向の水平プレート３２ａと、起立方向の側面起立プレート３２ｂや前面起立プレート３２ｃとを有するように構成されており、水平プレート３２ａに、挿入棒６１を起立させた際に外周部分を当接させるような切欠部３３を設けるとともに、側面起立プレート３２ｂ側にも挿入棒６１を傾倒させた際に外周部分を当接させる切欠部３４を設けている。そして、挿入棒６１を傾倒させる際に、この側面起立プレート３２ｂの切欠部３４に当接させることによって傾倒角度を７０度〜８０度の範囲にできるようにしている。このとき、この挿入棒６１が短く構成されているため、側面起立プレート３２ｂの切欠部３４だけで傾動時にかかる挿入棒６１からの負荷を支えることができるようになる。なお、この傾倒角度については、水平状態に近くし過ぎると、中案内環などを有していないために、図６の下図に示すように、挿入棒６１とフィルム筒８１との隙間によってフィルムロール８が傾いてしまい、フィルムロール８が落下してしまう可能性がある。このため、傾倒角度として７０度〜８０度の範囲としておく。この範囲に角度を制限しておくと、挿入棒６１とフィルム筒８１との隙間によってフィルムロール８が傾いたとしてもフィルムロール８が落下するようなことがなくなり、また、挿入棒６１が撓んだとしてもフィルムロール８が落下してしまう可能性が少なくなる。一方、このブラケット３２の前方側の前面起立プレート３２ｃには、挿入棒６１を起立状態に固定するための孔部３５（図５）が設けられており、起立状態でこの孔部３５と挿入棒６１の下端部分に設けられた孔（図示せず）とを一致させてピンＰ（図４参照）を差し込むことで起立状態を固定できるようにしている。
【００２９】
また、この挿入棒６１の下方側には、フィルムロール８の下端部分を保持するための下端支持部６５が設けられる。この下端支持部６５は、フィルム筒８１の内側縁部に当接するような円錐台状に構成されるもので、これによって挿入棒６１とフィルムロール８の軸心を一致させるようにしている。この下端支持部６５は、挿入棒６１に部分的に設けられた孔部６３ｄ、６３ｕにピン６５ｐを差し込むことで位置を選択できるようになっており、例えば、７５０ｍｍの幅のフィルムロール８を取り付ける場合は、下方の孔部６３ｄにピン６５ｐを差し込んで下端支持部６５を取り付け、一方、５００ｍｍ幅のフィルムロール８を取り付ける場合は、上方側の孔部６３ｕにピン６５ｐを差し込んで下端支持部６５を取り付けるようにする。この下端支持部６５は、挿入棒６１に対して若干の隙間を有するように挿入されており、ピン６５ｐ上で回転できるようになっている。
【００３０】
一方、フィルムロール８の上端部分を保持する上端支持部６６は、図４に示すように、フィルム筒８１の内側縁部に当接するような下向きの円錐台状に構成されており、昇降機構７を介して上下方向に昇降させることで、フィルムロール８を上から押さえ付けられるようにしている。なお、この上端支持部６６についても、スライド棒７５に対して若干の隙間を有するように取り付けられており、スライド棒７５の下端部分に設けられたフランジ状の部材上で回転できるようになっている。
【００３１】
この上端支持部６６を昇降させる昇降機構７は、ストレッチアーム３１に設けられたレバー７１を操作することで、スライド棒７５を上下方向にスライドさせ、これによって上端支持部６６を昇降させられるようになっている。より具体的には、このスライド棒７５は、ストレッチアーム３１から横方向に伸びるブラケット３７の先端部分の穴部３８に挿入されており、その下側にバネ７６を取り付けて上端支持部６６を下方に押さえつけられるようになっている。このバネ７６は、スライド棒７５の下方に設けられた孔部に挿入されるピン７５ｐとブラケット３７との間に跨って設けられ、常時下方に向かって押圧力を付与できるようになっている。一方、このスライド棒７５の上方には、上側リンク部材７２が傾動可能に取り付けられており、この上側リンク部材７２をブラケット３７の支点７３を中心に傾動させることでスライド棒７５を上下方向にスライドさせられるようになっている。この上側リンク部材７２の反対側は、レバー７１から鉛直方向に伸びる側方リンク部材７４に回動可能に連結されており、レバー７１を下方側に操作させることで側方リンク部材７４を下げ、これによって上側リンク部材７２を傾動させてスライド棒７５を上昇させる。このとき、スライド棒７５は、バネ圧に抗して上昇し、これによって上端支持部６６を上昇させる。一方、レバー７１を上方に操作した場合は、側方リンク部材７４が上がり、これによって上側リンク部材７２が傾動してスライド棒７５が下降する。そして、この下降によって上端支持部６６をフィルム筒８１に当接させてフィルムロール８を保持させる。
【００３２】
次に、このように構成されたフィルム保持装置６にフィルムロール８を取り付ける際の動作について説明する。
【００３３】
まず、使用に際して、フィルムロール８の長さに対応した位置に下端支持部６５や上端支持部６６を取り付ける。このとき、７５０ｍｍのフィルムロール８を使用する場合は、挿入棒６１の下方の孔部６３ｄにピン６５ｐを差し込んで下端支持部６５を位置させる。また、上端支持部６６については、スライド棒７５のバネ７６の下端側に設けられていた固定用のピン７５ｐを抜くとともに、スライド棒７５を上側にスライドさせ、上側リンク部材７２との連結部分を下側の孔部７７ｄに付け替える。一方、５００ｍｍのフィルムロール８を使用する場合は、図７に示すように、挿入棒６１の上方の孔部６３ｕにピン６５ｐを差し込んで下端支持部６５を上方に位置させる。また、上端支持部６６については、スライド棒７５を下方にスライドさせ、スライド棒７５の中央近傍の孔部７５ｕにピン７５ｐを付け替えてバネ７６を固定するとともに、上側リンク部材７２との連結部分を上側の孔部７７ｕに付け替える。
【００３４】
このようにフィルムロール８の長さに設定した状態で、フィルムロール８をフィルム保持装置６に取り付ける場合、前面起立プレート３２ｃに設けられたピンＰを抜き、挿入棒６１を傾倒させる（図５の状態）。すると、その挿入棒６１はヒンジ３６を中心として傾倒し、水平プレート３２ａと側面起立プレート３２ｂの切欠部３４に当接して７０度〜８０度の範囲内で傾倒する。
【００３５】
また、これとともに、上端支持部６６を上昇させるべく、図４などに示すように、レバー７１を下方に操作する。するとそのレバー７１の操作に伴って、側方リンク部材７４が下がり、上側リンク部材７２が傾倒してスライド棒７５が上昇して上端支持部６６を上昇させることができる。
【００３６】
そして、この状態でフィルムロール８を装着する。フィルムロール８を装着する場合は、梱包箱に入ったまま、フィルム筒８１を挿入棒６１に挿入させる。このとき、挿入棒６１とフィルム筒８１との間には隙間が存在するため、フィルムロール８が傾いた状態となるが、挿入棒６１の角度を８０度以下としておくと、図６の上図に示すように、フィルムロール８が挿入棒６１の先端から滑り落ちるようなことがなくなる。
【００３７】
そして、このようにフィルムロール８を挿入棒６１に挿入させた状態で、挿入棒６１を起立させる。このとき、挿入棒６１の起立と同時に梱包箱を抜くようにすると、フィルムロール８の表面を手で触ることがなくなる。そして、挿入棒６１を起立させた状態で、前面起立プレート３２ｃに設けられた孔部３５にピンＰを差し込み、起立状態に固定させる。すると、フィルムロール８は、円錐台状に構成された下端支持部６５によって挿入棒６１の軸芯に沿って起立し、上端支持部６６を下降させた際に、フィルム筒８１に上端支持部６６を当接させることが可能となり、フィルム筒８１の内部では何にも接触するものがなくなる。次に、上端支持部６６を下降させる際は、レバー７１を上方に操作し、側方リンク部材７４を上昇させて上側リンク部材７２を逆方向に傾倒させる。そして、この上側リンク部材７２の傾倒に伴ってスライド棒７５を下降させ、上端支持部６６をフィルム筒８１の縁部に当接させる。
【００３８】
そして、このように保持されたフィルムロール８からフィルムを引き出し、第一ローラー４１と第二ローラー４２の間にフィルムを通してストレッチ可能な状態にし、ターンテーブル２０の側部に設けられた保持部５５にフィルムを保持させて、フィルムを巻き付け可能な状態とする。
【００３９】
このように上記実施の形態によれば、中空状のフィルム筒８１を有するフィルムロール８を回転させながらフィルムを繰り出してロールベールに巻き付けるようにしたフィルム保持装置６において、フィルムロール８よりも短く構成され、フィルムロール８のフィルム筒８１に挿入される挿入棒６１と、当該挿入棒６１を鉛直方向から７０度〜８０度の傾動角度で傾倒させる傾倒部６４と、前記挿入棒６１に挿入されたフィルムロール８の下端を支持する下端支持部６５と、当該下端支持部６５で支持されたフィルムロール８の上端部分を支持する上端支持部６６とを備えるように構成したので、梱包箱に入れたままフィルムロール８を挿入棒６１に挿入させることができる。また、この挿入棒６１がフィルムロール８より短く構成されているため、従来のようにフィルムロール８の長さ分以上後方に下がってから挿入するといった前後の動きが不要になり、挿入動作を迅速に行わせることができるようになる。
【００４０】
また、挿入棒６１に中案内環などを取り付けないようにして、フィルム筒８１の内側では何も接触させないようにしたので、フィルム筒８１が膨張したり変形した場合であっても容易にフィルムロール８を挿入させることができるようになる。
【００４１】
さらに、前記下端支持部６５の取り付け位置を変更可能に構成し、また、前記上端支持部６６の取り付け位置を変更可能に構成したので、種々の長さのフィルムロール８に対応させることができ、また、下端支持部６５や上端支持部６６の位置を変更することで下端や上端を固定することができるため、フィルムロール８の軸方向の揺れを防止することができるようになる。
【００４２】
なお、本発明は上記実施の形態に限定されることなく、種々の態様で実施することができる。
【００４３】
例えば、上記実施の形態では、挿入棒６１の長さとしてフィルムロール８の１／３〜１／５の長さにしたが、装着時に人間の前後方向の動きに対する支障をきたさない範囲内であれば、これよりも短くしたり長くしてもよい。
【００４４】
また、上記実施の形態では、フィルム筒８１の内部には挿入棒６１のみが存在するようにしてフィルムロール８を挿入しやすくしたが、フィルム筒８１の内径と挿入棒６１との間に、フィルム筒８１の変形によっても接触しないような状態にしておけば、フィルム筒８１との隙間を小さくするようにしてもよい。
【符号の説明】
【００４５】
１・・・ラップマシン
２・・・回転機構
２０・・・ターンテーブル
２１・・・ローラー
２２・・・ベルト
２３・・・回転フレーム
３・・・ラッピング機構
３１・・・ストレッチアーム
３２・・・ブラケット
３２ａ・・・水平プレート
３２ｂ・・・側面起立プレート
３２ｃ・・・前面起立プレート
３３、３４・・・切欠部
３５・・・孔部
３６・・・ヒンジ
３７・・・ブラケット
３８・・・穴部
４１・・・第一ローラー
４２・・・第二ローラー
５０・・・切断保持手段
５１・・・グリップロッド
５２・・・下部リンク
５３・・・中間リンク
５４・・・上辺当接部材
５５・・・保持部
５６・・・バネ
５７・・・カッター
５８・・・ピン
５９・・・湾曲部
６・・・フィルム保持装置
６１・・・挿入棒
６２・・・孔部
６３ｄ、６３ｕ・・・孔部
６４・・・傾倒部
６５・・・下端支持部
６５ｐ・・・ピン
６６・・・上端支持部
７・・・昇降機構
７１・・・レバー
７２・・・上側リンク部材
７３・・・支点
７４・・・側方リンク部材
７５・・・スライド棒
７５ｐ・・・ピン
７６・・・バネ
７７ｄ、７７ｕ・・・孔部
８・・・フィルムロール
８１・・・フィルム筒
９・・・ロールベール
Ｐ・・・ピン
【図１】
2015226507.tif 000003
【図２】
2015226507.tif 000004
【図３】
2015226507.tif 000005
【図４】
2015226507.tif 000006
【図５】
2015226507.tif 000007
【図６】
2015226507.tif 000008
【図７】
2015226507.tif 000009
【図８】
2015226507.tif 000010
【図９】
2015226507.tif 000011
【図１０】
2015226507.tif 000012